(57)【要約】      （修正有）【課題】ブレードの着脱を容易に行うことができる使用者による使い勝手のよい往復動切断工具を提供する。【解決手段】工具本体１０のスライダの先端部に取り付けられたホルダ２０の先端部側に、ブレード３０の基端部が挿入される刃物挿入溝２１、ブレードの基端部を掛け止めるための掛け軸２２、操作体２５により回動操作可能な止着軸２３を設ける。ブレードの基端部に、掛け軸に引っ掛け可能な掛け部３５、止着軸と対応する位置に形成された止着孔３６、止着軸をブレードの背部側から止着孔に案内するガイド溝３７を設ける。止着軸を止着孔の内部に位置させた状態で止着軸を操作体により回動させることでホルダにブレードを固定する。【選択図】図２
0003184315.tif 000002
【実用新案登録請求の範囲】
【請求項１】
工具本体に設けられた往復動可能なスライダの先端部に取り付けられたホルダと、このホルダに着脱自在に取り付けられるブレードとを備え、
前記ホルダは、その先端部側に形成された前記ブレードの基端部が挿入される刃物挿入溝と、この刃物挿入溝の基端部側の間隙間に前記刃物挿入溝の溝幅方向に沿って配設された前記ブレードの基端部を掛け止めるための掛け軸と、前記刃物挿入溝の先端部側の間隙間に前記溝幅方向に沿って配設された止着軸と、この止着軸を外部から回動操作可能な操作体とを有しており、
前記ブレードは、その基端部に、前記掛け軸に引っ掛け可能な掛け部と、前記ホルダに取り付けた際の前記止着軸と対応する位置に形成された止着孔と、前記掛け部を前記掛け軸に掛けて回動した際に、前記止着軸を前記ブレードの背部側から前記止着孔に案内するガイド溝とを有しており、
前記止着軸を前記止着孔の内部に位置させた状態で前記止着軸を前記操作体により回動させることで前記ホルダに前記ブレードを固定するように形成されていることを特徴とする往復動切断工具。
【請求項２】
前記止着軸は、狭径部および拡径部を有しており、
前記ガイド溝の溝幅は、前記狭径部を通過させ、前記拡径部の通過を阻止できるように形成されており、
前記操作体は、前記止着軸を前記止着孔の内部に位置させた状態で前記止着軸を回動させることで前記止着軸が前記止着孔から抜け出るのを防止するように形成されている請求項１に記載の往復動切断工具。
【請求項３】
前記止着軸が前記止着孔から抜け出るのを防止する際の前記操作体の位置を保持するための保持手段を有している請求項２に記載の往復動切断工具。
【請求項４】
前記操作体は、一端が前記止着軸の両端部に取り付けられた１対の取付部と、これら１対の取付部のそれぞれの他端を接続するとともに、前記ホルダの前記刃物挿入溝の底部の外側に位置する背部を跨ぐように設けられた接続部と、この接続部から延出形成された操作部とを有しており、
前記保持手段は、前記取付部の内面と前記ホルダの外面との一方に形成された係止用凸部と、他方に形成された係止用凹部とを有している請求項３に記載の往復動切断工具。
【請求項５】
前記刃物挿入溝は、金属板を２つ折りすることにより形成されている請求項１ないし４のいずれか１項に記載の往復動切断工具。
【請求項６】
前記ブレードは、その長手方向の一辺に切断対象物を切断するための刃部が形成されており、
前記刃部は、直線状の直線刃部と、Ｖ字状の切り込みにより形成されたＶ字歯部とを交互に配置することにより形成されている請求項１ないし５のいずれか１項に記載の往復動切断工具。
【請求項７】
前記Ｖ字歯部が前記ブレードの厚さ方向に対して傾斜して形成されている請求項６に記載の往復動切断工具。
【請求項８】
前記Ｖ字歯部の形成間隔が４−５ｍｍである請求項６または７に記載の往復動切断工具。
【考案の詳細な説明】
【技術分野】
【０００１】
本考案は、例えばレシプロソー、ジグソーなどのブレード（切断刃）を往復動させて切断対象物を切断するのに好適な往復動切断工具に関する。
【背景技術】
【０００２】
従来、レシプロソー、ジグソーなどのブレード（切断刃）を往復動させて切断対象物を切断する往復動切断工具として、特許文献１のものが提案されている。特許文献１の往復動切断工具は、モータおよびモータの回転運動を往復運動に変換する往復動変換機構を介してスライダとしてのスライド軸をその軸方向に往復動させ、これによりスライド軸の先端に取り付けたブレードを往復動させて切断対象物を切断する構成となっている。また、スライド軸の先端部にブレードを取り付けるために、スライド軸の先端部に取り付けたホルダと、このホルダに対してスライド軸の軸回りに回転操作される操作スリーブと、この操作スリーブをクランプ方向に操作したときにブレードの取り付け孔に挿入されてブレードの抜けを防止するクランプ部材と、操作スリーブをアンクランプ方向に操作したときにブレードをその板厚方向に押して、取り付け孔からクランプ部材が抜き出される方向に移動させる抜き出し部材を備えており、操作スリーブの回転操作により、ブレードの着脱を作業工具を用いずに行うことができる構成となっている。
【先行技術文献】
【特許文献】
【０００３】
【特許文献１】特開２００２−２８８１９号公報
【考案の概要】
【考案が解決しようとする課題】
【０００４】
しかしながら、従来の往復動切断工具においては、ブレードの着脱時に操作スリーブの回転操作に手間がかかり、使用者による使い勝手がよくないという問題点があった。
【０００５】
本考案は、上述した事情に鑑みてなされたものであり、ブレードの着脱を容易に行うことができる使用者による使い勝手のよい往復動切断工具を提供することを目的とする。
【課題を解決するための手段】
【０００６】
本考案は、前記目的を達成するため、工具本体に設けられた往復動可能なスライダの先端部に取り付けられたホルダと、このホルダに着脱自在に取り付けられるブレードとを備え、前記ホルダは、その先端部側に形成された前記ブレードの基端部が挿入される刃物挿入溝と、この刃物挿入溝の基端部側の間隙間に前記刃物挿入溝の溝幅方向に沿って配設された前記ブレードの基端部を掛け止めるための掛け軸と、前記刃物挿入溝の先端部側の間隙間に前記溝幅方向に沿って配設された止着軸と、この止着軸を外部から回動操作可能な操作体とを有しており、前記ブレードは、その基端部に、前記掛け軸に引っ掛け可能な掛け部と、前記ホルダに取り付けた際の前記止着軸と対応する位置に形成された止着孔と、前記掛け部を前記掛け軸に掛けて回動した際に、前記止着軸を前記ブレードの背部側から前記止着孔に案内するガイド溝とを有しており、前記止着軸を前記止着孔の内部に位置させた状態で前記止着軸を前記操作体により回動させることで前記ホルダに前記ブレードを固定するように形成されていることを特徴とする往復動切断工具を提供する。
【０００７】
本考案において、前記止着軸は、狭径部および拡径部を有しており、前記ガイド溝の溝幅は、前記狭径部を通過させ、前記拡径部の通過を阻止できるように形成されており、前記操作体は、前記止着軸を前記止着孔の内部に位置させた状態で前記止着軸を回動させることで前記止着軸が前記止着孔から抜け出るのを防止するように形成されている構成とすることができる。そして、このような構成を採用したことにより、止着軸を操作体により回動するという簡単な操作により、止着軸が止着孔から抜け出ることができないので、ブレードが不意に外れるのを確実に防止することができる。その結果、安全性を向上することができる。
【０００８】
また、本考案において、前記止着軸が前記止着孔から抜け出るのを防止する際の前記操作体の位置を保持するための保持手段を有している構成とすることができる。そして、このような構成を採用したことにより、ブレードが不意に外れるのをより確実に防止することができる。その結果、安全性をより向上することができる。
【０００９】
さらに、本考案において、前記操作体は、一端が前記止着軸の両端部に取り付けられた１対の取付部と、これら１対の取付部のそれぞれの他端を接続するとともに、前記ホルダの前記刃物挿入溝の底部の外側に位置する背部を跨ぐように設けられた接続部と、この接続部から延出形成された操作部とを有しており、前記保持手段は、前記取付部の内面と前記ホルダの外面との一方に形成された係止用凸部と、他方に形成された係止用凹部とを有している構成とすることができる。そして、このような構成を採用したことにより、操作体および保持手段のそれぞれを容易に形成することができる。
【００１０】
さらにまた、本考案において、前記刃物挿入溝は、金属板を２つ折りすることにより形成されている構成とすることができる。そして、このような構成を採用したことにより、刃物挿入溝を容易に形成することができる。その結果、ホルダの低コスト化を図ることができる。
【００１１】
また、本考案において、前記ブレードは、その長手方向の一辺に切断対象物を切断するための刃部が形成されており、前記刃部は、直線状の直線刃部と、Ｖ字状の切り込みにより形成されたＶ字歯部とを交互に配置することにより形成されている構成とすることができる。そして、このような構成を採用したことにより、直線刃部による切断とＶ字歯部による切断とを行うことができるので、カーペットの切断を容易に行うことができる。
【００１２】
さらに、本考案において、前記Ｖ字歯部の歯先端面が前記ブレードの厚さ方向に対して傾斜して形成されている構成とすることができる。そして、このような構成を採用したことにより、Ｖ字歯部の歯先端面の角度をカーペットの切断に最適なものとすることができる。
【００１３】
さらにまた、本考案において、前記Ｖ字歯部の形成間隔が４−５ｍｍである構成とすることができる。そして、このような構成を採用したことにより、Ｖ字歯部の形成間隔をカーペットの切断に最適なものとすることができる。
【考案の効果】
【００１４】
本考案の往復動切断工具によれば、ブレードの基端部を刃物挿入溝に挿入してブレードの掛止部を掛止軸に掛けて回動し、止着軸に止着溝を位置させてから操作体を回動させることでホルダにブレードを固定することができるから、ブレードの着脱を容易に行うことができるなどの優れた効果を奏する。その結果、使用者による使い勝手を向上することができる。
【図面の簡単な説明】
【００１５】
【図１】本考案に係る往復動切断工具の実施形態の工具本体にブレードを取り付けた状態の要部を示す全体図
【図２】図１の工具本体にブレードを分離した状態における要部を示す図１と同様の図
【図３】図１の要部の拡大断面図
【図４】図１のａ−ａ線に沿った拡大断面図
【図５】図１のブレードの要部を示す全体正面図
【図６】図５のブレードの要部の一部拡大正面図
【図７】図５のブレードの要部の一部拡大底面図
【考案を実施するための形態】
【００１６】
以下、本考案につき図面を参照してさらに詳しく説明する。
【００１７】
図１から図３に示すように、本例の往復動切断工具１は、工具本体１０と、この工具本体１０に着脱自在に取り付けられるブレード３０とを備えている。
【００１８】
本例の工具本体１０は、手持ち式のハウジング１１を有しており、このハウジング１１には、駆動源としての図示しない電気モータ、この電気モータの出力軸の回転運動を往復運動に変換するクランクなどの図示しない変換機構、この変換機構からの駆動力の伝達を受けて図１の破線両矢印Ａにて示す図１の左右方向に沿って往復動するスライダ１２（図１に一部を破線にて示す）などが内蔵されている。また、ハウジング１１の図１の左側に示す後端部には、外部からの電力を供給する電源コード１３が装着されている。さらに、ハウジング１１には、使用者が握って往復動切断工具１を操るためのグリップ１４が設けられており、グリップ１４を使用者が握って指で操作しやすい位置には、往復動切断工具１の作動と停止を制御するための駆動スイッチ１５が配設されている。
【００１９】
本例のスライダ１２の先端部（図１の右側）には、ブレード３０を取り付けるためのホルダ２０の基端部が取り付けられており、ホルダ２０の先端部側（図１の右側）は、ハウジング１１の外側に突出されている。本例のホルダ２０は、金属板を２つ折りすることにより形成されている。
【００２０】
本例のホルダ２０の先端部側には、下側が開口とされた刃物挿入溝２１が形成されており、刃物挿入溝２１には、ブレード３０の基端部が挿入されるようになっている。さらに、刃物挿入溝２１の基端部側の間隙間には、刃物挿入溝２１の溝幅方向に沿ってブレード３０の基端部を掛け止めるための掛け軸２２が配設されており、刃物挿入溝２１の先端部側の間隙間には、溝幅方向に沿って止着軸２３が配設されている。また、掛け軸２２は、刃物挿入溝２１の基端部側の下端側に配置されており、止着軸２３は、刃物挿入溝２１の先端部側の上端側に配置されている。さらに、ホルダ２０の刃物挿入溝２１の外側に位置する両外面のうちの掛け軸２２と止着軸２３との間で、かつ背部側（図１の上側）には、それぞれ係止用凸部２４が形成されている（図２に、一方のみ図示）。さらにまた、刃物挿入溝２１の止着軸２３の配設位置より下側は、ブレード３０の基端部が挿入し易いように上下方向に沿った半分程度の長さに亘り切り欠かれている。すなわち、ホルダ２０の刃物挿入溝２１の形成部位は、ホルダ２０の刃物挿入溝２１の底部の外側に位置する背部からの下端までの長さが、掛け軸２２の配設側で大きく、止着軸２３の配設側で小さくなるように２段状に形成されている。
【００２１】
本例の止着軸２３は、少なくとも刃物挿入溝２１の内部に配置された部位が、狭径部２３ａおよび広径部２３ｂを備えた非円形断面形状とされており（図３）、ホルダ２０の先端側において、刃物挿入溝２１の溝幅方向に沿って貫通装着されて回動自在に支持されているとともに、操作体２５により外部から回動操作可能に形成されている。
【００２２】
本例の操作体２５は、一端が止着軸２３の両端部に取り付けられた１対の取付部２５ａ（図１−図３に一方のみ図示）と、これら１対の取付部２５ａのそれぞれの他端である上端を接続するとともに、前記ホルダ２０の刃物挿入溝２１の底部の外側に位置する背部を跨ぐように設けられた接続部２５ｂと、この接続部２５ｂから延出形成された操作部２５ｃとを有している。そして、使用者が指先で操作部２５ｃを操作することで、操作体２５は、止着軸２３を中心として、図１に示すホルダ２０にブレード３０を取り付けた装着位置と、図２に示すホルダ２０に対してブレード３０を着脱するブレード３０を分離した分離位置との間を回動できるようになっている。また、１対の取付部２５ａのそれぞれの内面には、係止用凹部２６が形成されている（図４）。これらの係止用凹部２６は、操作体２５が装着位置に位置した際の係止用凸部２４と対応する位置に形成されており、操作体２５を回動させることによって係止用凸部２４に嵌合させて係止状態を保持させたり、係止用凹部２６を係止用凸部２４から離脱させて係止状態を解除させたりすることがでるようになっている。
【００２３】
本例の取付部２５ａの内面に形成された１対の係止用凸部２４と、ホルダ２０の外面に形成された１対の係止用凹部２６により、本例の止着軸２３が後述するブレード３０に設けられた止着孔３６から抜け出るのを防止する際の操作体２５の位置を保持するための保持手段４０が構成されている。
【００２４】
本例のブレード３０は、切断対象物として繊維・紙、特にカーペットを切断するのに好適なものである。このブレード３０は、例えば薄金属板により全長１８５ｍｍ程度の帯状に形成されており、その長手方向の一辺である下縁には、刃渡り１４５ｍｍ程度の刃部３１が形成されている。この刃部３１は、図両刃（諸刃）とされた直線状の直線刃部３２と、例えば深さ０．５ｍｍ程度で角度３０度程度のＶ字状の切り込みにより形成されたＶ字歯部３３とを交互に配置することにより形成されている（図５−図７）。また、Ｖ字歯部３３の形成間隔は、例えば４−５ｍｍ程度とされている。さらに、Ｖ字歯部３３は、ブレード３０の厚さ方向（表裏）に対して直交せずに、角度αだけ傾斜したＶ状の谷が形成されるように設けられている（図７）。なお傾斜方向は、図７と逆方向としてもよい。また、直線刃部３２の形成領域の長さと、Ｖ字歯部３３の形成領域の長さの比を９：１程度とすることがカーペットを容易に切断することができるという意味で好ましい。また、角度αとしては、２０−４０度の範囲とすることがカーペットの切断に最適であるという意味でより好ましい。
【００２５】
本例のブレード３０の基端部（図１の左側、図５の右側）には、掛け軸２２に引っ掛け可能な掛け部３５と、ブレード３０をホルダ２０に取り付けた際の止着軸２３と対応する位置に形成された止着孔３６と、掛け部３５を掛け軸２２に掛けて回動した際に、止着軸２３をブレード３０の背部側から止着孔３６に案内するガイド溝３７とを有している。
【００２６】
本例の掛け部３５は、掛け軸２２に引っ掛け可能な鉤形状とされている。そして、止着孔３６は、止着軸２３の広径部２３ｂに対応した内径とされている。また、ガイド溝３７は、止着軸２３の狭径部２３ａと対応した幅で、止着孔３６から掛け部３５（掛け軸２２）を中心とした円弧状に形成されており、ガイド溝３７の溝幅は、狭径部２３ａを通過させ、広径部２３ｂの通過を阻止できるように形成されている。すなわち、ガイド溝３７の溝幅は、狭径部２３ａより大きく、かつ広径部２３ｂより小さく形成されている。
【００２７】
ここで、ブレード３０としては、目の細かい鋸歯を備えた鉄・樹脂用のものや、目の粗い鋸歯を備えた木工用のものなどの多種多様のものを用いることができる。但し、基端部の形状を本例と同様とすることが肝要である。また、ブレード３０としては長手方向の両辺に刃部３１を設けたものを用いることができるし、片刃のものを用いることができる。
【００２８】
なお、工具本体１０のその他の構成については、公知のものと同様とされているので、その詳しい説明については省略する。
【００２９】
つぎに、前述した構成からなる本実施形態の作用について説明する。
【００３０】
本例の往復動切断工具１によれば、ホルダ２０にブレード３０を取り付けるには、図２に示すように、操作体２５の操作部２５ｃを上方に操作して止着軸２３がガイド溝３７に侵入可能な状態としてから、ブレード３０の基端部をホルダ２０の刃物挿入溝２１のうちの掛け軸２２と止着軸２３との間に挿入し、掛け部３５を掛け軸２２に引っ掛ける（図３）。なお、掛け部３５を掛け軸２２に引っ掛けた後に、操作体２５の操作部２５ｃを操作してもよい。
【００３１】
ついで、ブレード３０を掛け軸２２を中心として図３の太矢印にて示す反時計方向に回す操作を行う。この操作により、止着軸２３の狭径部２３ａがガイド溝３７を通過して止着孔３６に入り込む。この状態は、ブレード３０が回らなくなるので、使用者による判別は容易である。
【００３２】
ついで、止着軸２３の狭径部２３ａを止着孔３６に入れたら、操作体２５を止着軸２３を中心として図３の反時計方向に回す操作を行う。この操作により、止着孔３６の内部で止着軸２３が回り、広径部２３ｂがガイド溝３７の溝幅方向とほぼ平行に延在する状態となり、止着軸２３がガイド溝３７を通過して止着孔３６から抜け出るのを防止することができるとともに、ホルダ２０にブレード３０を固定することができる。このとき、操作体２５の係止用凹部２６がホルダ２０の係止用凸部２４に係止されるので、止着軸２３が止着孔３６から抜け出るのを防止する際の操作体２５の位置を保持することができる。ここで、係止用凹部２６が係止用凸部２４に係止された際に、２つの係止用凹部２６は、２つの係止用凸部２４を相互に接近する方向に付勢する。この付勢力により、２つの取付部２５ａのそれぞれが接続部２５ｂとの境界部分を基点として自由端側が接近する方向に弾性変形するので、２つの取付部２５ａの相互間の間隔が狭くなり、ブレード３０をその厚さ方向両側から挟持するように作用する。その結果、ブレード３０の固定力が増加する。
【００３３】
なお、ホルダ２０に取り付けたブレード３０を取り外すには、ホルダ２０にブレード３０を取り付けるときと、逆の操作を行うことになる。
【００３４】
また、本例の往復動切断工具１により切断対象物を切断する場合には、切断対象物としてのカーペットに対してブレード３０の刃部３１を当接し、その往復運動で切断するようになっている。特に直線刃部３２の刃先３２ａ（図６、図７）でカーペットの切断を行うとともに、Ｖ字歯部３３の刃先端面３３ａにおいても切断するようになっており、刃先端面３３ａにおいては、カーペットの繊維を引っかけて強く引くことになり、多少硬い繊維であっても容易に切断することができ、カーペットの切断作業の効率を高めることができる。
【００３５】
このように、本例の往復動切断工具１によれば、ブレード３０の基端部を刃物挿入溝２１に挿入してブレード３０の掛け部３５をホルダ２０の掛け軸２２に掛けて回動し、止着軸２３に止着孔３６を位置させてから操作体２５を回動させることでホルダ２０にブレード３０を固定することができるから、ブレード３０の着脱を容易に行うことができる。
【００３６】
すなわち、本例の往復動切断工具１によれば、操作体２５を回動するという簡単な操作により、ブレード３０をホルダ２０、ひいては工具本体１０にワンタッチで着脱することができるので、従来のスリーブを回転操作する構成に比べてブレード３０の着脱を容易に行うことができる。
【００３７】
したがって、本例の往復動切断工具１によれば、使用者による使い勝手を従来より格段に向上することができる。
【００３８】
また、本例の往復動切断工具１によれば、止着軸２３が狭径部２３ａおよび広径部２３ｂを有しており、ガイド溝３７の溝幅が狭径部２３ａを通過させ、広径部２３ｂの通過を阻止できるように形成されており、操作体２５が止着軸２３を止着孔３６の内部に位置させた状態で止着軸２３を回動させることで止着軸２３が止着孔３６から抜け出るのを防止するように形成されているから、止着軸２３を操作体２５により回動するという簡単な操作により、止着軸２３が止着孔３６から抜け出ることができないので、ブレード３０が不意に外れるのを確実に防止することができる。その結果、安全性を向上することができる。
【００３９】
さらに、本例の往復動切断工具１によれば、止着軸２３が止着孔３６から抜け出るのを防止する際の操作体２５の位置を保持するための保持手段４０を有しているから、ブレード３０が不意に外れるのをより確実に防止することができる。その結果、安全性をより向上することができる。
【００４０】
さらにまた、本例の往復動切断工具１によれば、操作体２５がその一端が止着軸２３の両端部に取り付けられた１対の取付部２５ａと、これら１対の取付部２５ａのそれぞれの他端を接続するとともに、ホルダ２０の刃物挿入溝２１の底部の外側に位置する背部を跨ぐように設けられた接続部２５ｂと、この接続部２５ｂから延出形成された操作部２５ｃとを有しており、保持手段４０は、取付部２５ａの内面と前記ホルダ２０の外面との一方に形成された係止用凸部２４と、他方に形成された係止用凹部２６とを有しているから、操作体２５および保持手段４０のそれぞれを容易に形成することができる。
【００４１】
また、本例の往復動切断工具１によれば、刃物挿入溝２１が金属板を２つ折りすることにより形成されているから、刃物挿入溝２１を容易に形成することができる。
【００４２】
さらに、本例の往復動切断工具１によれば、ブレード３０がその長手方向の一辺に切断対象物を切断するための刃部３１が形成されており、刃部３１が直線状の直線刃部３２と、Ｖ字状の切り込みにより形成されたＶ字歯部３３とを交互に配置することにより形成されている構成から、直線刃部３２による切断とＶ字歯部３３による切断とを行うことができるので、従来困難であったカーペットの切断を容易に行うことができる。
【００４３】
さらにまた、本例の往復動切断工具１によれば、Ｖ字歯部３３の歯先端面３３ａがブレード３０の厚さ方向に対して傾斜して形成されているから、Ｖ字歯部３３の歯先端面３３ａの角度をカーペットの切断に最適なものとすることができる。また、歯先端面３３ａが角度αをもって傾斜しているので、切断抵抗を少なくすることができるので、カーペットの切断時に切り屑が発生するのを抑制することができる。
【００４４】
さらにまた、本考案において、Ｖ字歯部３３の形成間隔が４−５ｍｍであるから、Ｖ字歯部３３の形成間隔をカーペットの切断に最適なものとすることができる。
【００４５】
本考案の往復動切断工具１は上記実施形態に限定されるものではなく、種々の変更が可能である。例えば、電気モータに対する電力の供給を電池パックを付設することでコードレス化を図ることができる。
【符号の説明】
【００４６】
１  往復動切断工具
１０  工具本体
１２  スライダ
２０  ホルダ
２１  刃物挿入溝
２２  掛け軸
２３  止着軸
２３ａ  狭径部
２３ｂ  広径部
２４  係止用凸部
２５  操作体
２５ａ  取付部
２５ｂ  接続部
２５ｃ  操作部
２６  係止用凹部
３０  ブレード
３１  刃部
３２  直線刃部
３３  Ｖ字歯部
３５  掛け部
３６  止着孔
３７  ガイド溝
４０  保持手段
【図１】
0003184315.tif 000003
【図２】
0003184315.tif 000004
【図３】
0003184315.tif 000005
【図４】
0003184315.tif 000006
【図５】
0003184315.tif 000007
【図６】
0003184315.tif 000008
【図７】
0003184315.tif 000009